(57)【要約】【課題】  新規のオプションの採用時に、元のプログラムを書き換えることなく、オプションに関する情報をより簡単にまた低コストに提供し得る情報処理装置を提供する。【解決手段】  装置本体に所定のオプション機器が装着可能である情報処理装置であり、ネットワーク接続された外部機器からのオプション機器に関する情報（オプション情報）の要求に応じて、オプション情報を該外部機器側でウェブブラウザを介し閲覧可能とする機能を備えた情報処理装置において、該オプション情報を提供するウェブページの所在地情報を書換え可能に記録する記録手段を設ける。また、情報処理装置において、外部機器からのオプション情報の要求に伴い、記録手段を参照し、該当するオプション情報を提供するウェブページの所在地情報を抽出する抽出手段と、該抽出手段により抽出された所在地情報に基づき、外部機器側のウェブブラウザを遷移させる遷移手段と、を設ける。【選択図】図４
2006279405.tif 000002
【特許請求の範囲】
【請求項１】
装置本体に所定のオプション機器が装着可能である情報処理装置であって、ネットワーク接続された外部機器からの該オプション機器に関する情報の要求に応じて、該オプション機器に関する情報を該外部機器側でウェブブラウザを介し閲覧可能とする機能を備えた情報処理装置において、
上記オプション機器に関する情報を提供するウェブページの所在地情報を書換え可能に記録する記録手段と、
上記外部機器からのオプション機器に関する情報の要求に伴い、上記記録手段を参照し、該当するオプション機器に関する情報を提供するウェブページの所在地情報を抽出する所在地情報抽出手段と、
上記所在地情報抽出手段により抽出された所在地情報に基づき、上記外部機器側のウェブブラウザを遷移させる遷移手段と、を有していることを特徴とする情報処理装置。
【請求項２】
装置本体に所定のオプション機器が装着可能である情報処理装置であって、ネットワーク接続された外部機器からの該オプション機器に関する情報の要求に応じて、該オプション機器に関する情報を該外部機器側でウェブブラウザを介し閲覧可能とする機能を備えた情報処理装置において、
上記オプション機器に関する所定の仕様情報を書換え可能に記録する記録手段と、
上記外部機器からのオプション機器に関する仕様情報の要求に伴い、上記記録手段を参照し、該当するオプション機器に関する仕様情報を反映したウェブページを構成するファイルを作成するファイル作成手段と、
上記外部機器側でウェブブラウザを介した閲覧が可能であるように、上記ファイル作成手段により作成されたファイルを提供するファイル提供手段と、を有していることを特徴とする情報処理装置。
【請求項３】
装置本体に所定のオプション機器が装着可能である情報処理装置であって、ネットワーク接続された外部機器からの該オプション機器に関する情報の要求に応じて、該オプション機器に関する情報を該外部機器側でウェブブラウザを介し閲覧可能とする機能を備えた情報処理装置により実行される情報表示プログラムにおいて、
上記外部機器からのオプション機器に関する情報の要求に伴い、上記オプション機器に関する情報を提供するウェブページの所在地情報を書換え可能に記録する記録手段を参照し、該当するオプション機器に関する情報を提供するウェブページの所在地情報を抽出するステップと、
抽出された所在地情報に基づき、上記外部機器側のウェブブラウザを遷移させるステップと、を有していることを特徴とする情報表示プログラム。
【請求項４】
装置本体に所定のオプション機器が装着可能である情報処理装置であって、ネットワーク接続された外部機器からの該オプション機器に関する情報の要求に応じて、該オプション機器に関する情報を該外部機器側でウェブブラウザを介し閲覧可能とする機能を備えた情報処理装置により実行される情報表示プログラムにおいて、
上記外部機器からのオプション機器に関する仕様情報の要求に伴い、上記オプション機器に関する所定の仕様情報を書換え可能に記録する記録手段を参照し、該当するオプション機器に関する仕様情報を反映したウェブページを構成するファイルを作成するステップと、
上記外部機器側でウェブブラウザを介した閲覧が可能であるように、作成されたファイルを提供するステップ、を有していることを特徴とする情報表示プログラム。
【発明の詳細な説明】
【技術分野】
【０００１】
本発明は、装置本体に所定のオプション機器が装着可能である情報処理装置であって、ネットワーク接続された外部機器からの該オプション機器に関する情報の要求に応じて、該オプション機器に関する情報を該外部機器側でウェブブラウザを介し閲覧可能とする機能を備えた情報処理装置及び該情報処理装置により実行される情報表示プログラムに関する。
【背景技術】
【０００２】
従来、端末，複写機又は多機能複合機（ＭＦＰ）が接続されたネットワークにおいては、端末側で、複写機やＭＦＰ等の機器の仕様又はその状態や機器に対するオプション（例えば給紙スタッカやフィニッシャ等）の装着状態を確認したり、機器の設定条件を変更したりする技術が知られている。例えば特開２００３−２８０８６７号公報や特開２００４−１１０１７１号公報では、端末側で、ウェブブラウザを介して、印刷装置におけるプリンタジョブの処理進捗状況を確認し得る技術が提案されている。
【０００３】
【特許文献１】特開２００３−２８０８６７号公報
【特許文献２】特開２００４−１１０１７１号公報
【発明の開示】
【発明が解決しようとする課題】
【０００４】
また、従来では、機器本体に対するオプションの装着状態に加え、オプション自体の詳細情報を確認可能とするものが知られている。これを実現すべく、通常、オプション情報を提供するウェブページの所在地情報（ＵＲＬ）が組み込まれたプログラムが機器のＲＯＭに格納されており、そのプログラムに基づき、ユーザからのオプションの詳細情報の取得要求に応じて、端末側でのウェブブラウザの遷移先として上記ウェブページのＵＲＬが設定される。例えば、ウェブブラウザ上には、機器本体に装着された若しくは今後機器本体に対する装着が予想される「フィニッシャ」に対応するボタンが設けられ、ユーザがこれをクリックすることで、プログラムに予め組み込まれた「フィニッシャ」の詳細情報を提供するウェブページのＵＲＬが端末側で設定され、別サーバで管理され「フィニッシャ」の製品名や仕様等の詳細情報を提供するウェブページへの遷移が行われる。
【０００５】
しかしながら、かかる様式では、製品の出荷時に既に装備されている又は追加が予想されるオプションについて、予め組み込まれたプログラムに基づき、ユーザがオプション情報を任意に取得可能であるものの、製品の発売後に開発された新たなオプションについては、そのオプション情報を提供するウェブページのＵＲＬが組み込まれたプログラムを新たに機器に組み込まない限り、オプション情報を取得することができない。
【０００６】
なお、前述した特許文献１及び２はいずれも、機器に対するオプションの装着状態及びオプションの詳細情報について記載するものではなく、上記の問題を解決することはできない。
【０００７】
この発明は、上記技術的課題に鑑みてなされたもので、新規のオプションの採用時に、元のプログラムを書き換えることなく、オプションに関する情報をより簡単にまた低コストに提供し得る情報処理装置及び該情報処理装置により実行される情報表示プログラムを提供することを目的とする。
【課題を解決するための手段】
【０００８】
そこで、本願の請求項１に係る発明は、装置本体に所定のオプション機器が装着可能である情報処理装置であって、ネットワーク接続された外部機器からの該オプション機器に関する情報の要求に応じて、該オプション機器に関する情報を該外部機器側でウェブブラウザを介し閲覧可能とする機能を備えた情報処理装置において、上記オプション機器に関する情報を提供するウェブページの所在地情報を書換え可能に記録する記録手段と、上記外部機器からのオプション機器に関する情報の要求に伴い、上記記録手段を参照し、該当するオプション機器に関する情報を提供するウェブページの所在地情報を抽出する所在地情報抽出手段と、該所在地情報抽出手段により抽出された所在地情報に基づき、上記外部機器側のウェブブラウザを遷移させる遷移手段と、を有していることを特徴としたものである。
【０００９】
また、本願の請求項２に係る発明は、装置本体に所定のオプション機器が装着可能である情報処理装置であって、ネットワーク接続された外部機器からの該オプション機器に関する情報の要求に応じて、該オプション機器に関する情報を該外部機器側でウェブブラウザを介し閲覧可能とする機能を備えた情報処理装置において、上記オプション機器に関する所定の仕様情報を書換え可能に記録する記録手段と、上記外部機器からのオプション機器に関する仕様情報の要求に伴い、上記記録手段を参照し、該当するオプション機器に関する仕様情報を反映したウェブページを構成するファイルを作成するファイル作成手段と、上記外部機器側でウェブブラウザを介した閲覧が可能であるように、上記ファイル作成手段により作成されたファイルを提供するファイル提供手段と、を有していることを特徴としたものである。
【００１０】
更に、本願の請求項３に係る発明は、装置本体に所定のオプション機器が装着可能である情報処理装置であって、ネットワーク接続された外部機器からの該オプション機器に関する情報の要求に応じて、該オプション機器に関する情報を該外部機器側でウェブブラウザを介し閲覧可能とする機能を備えた情報処理装置により実行される情報表示プログラムにおいて、上記外部機器からのオプション機器に関する情報の要求に伴い、上記オプション機器に関する情報を提供するウェブページの所在地情報を書換え可能に記録する記録手段を参照し、該当するオプション機器に関する情報を提供するウェブページの所在地情報を抽出するステップと、抽出された所在地情報に基づき、上記外部機器側のウェブブラウザを遷移させるステップと、を有していることを特徴としたものである。
【００１１】
また、更に、本願の請求項４に係る発明は、装置本体に所定のオプション機器が装着可能である情報処理装置であって、ネットワーク接続された外部機器からの該オプション機器に関する情報の要求に応じて、該オプション機器に関する情報を該外部機器側でウェブブラウザを介し閲覧可能とする機能を備えた情報処理装置により実行される情報表示プログラムにおいて、上記外部機器からのオプション機器に関する仕様情報の要求に伴い、上記オプション機器に関する所定の仕様情報を書換え可能に記録する記録手段を参照し、該当するオプション機器に関する仕様情報を反映したウェブページを構成するファイルを作成するステップと、上記外部機器側でウェブブラウザを介した閲覧が可能であるように、作成されたファイルを提供するステップ、を有していることを特徴としたものである。
【発明の効果】
【００１２】
本願の請求項１に係る発明によれば、情報処理装置に対して新規のオプション機器が採用された場合に、情報処理装置側で元のプログラムを書き換える必要なしに、新たなオプション機器に対応する所在地情報を記録するのみで、オプション機器に関する適切な情報をより簡単にまた低コストに提供することができる。
【００１３】
また、本願の請求項２に係る発明によれば、情報処理装置に対して新規のオプション機器が採用された場合に、情報処理装置側で元のプログラムを書き換える必要なしに、新たなオプション機器に対応する仕様情報を記録するのみで、オプション機器に関する適切な情報をより簡単にまた低コストに提供することができる。
【００１４】
更に、本願の請求項３に係る発明によれば、情報処理装置に対して新規のオプション機器が採用された場合に、情報処理装置側で元のプログラムを書き換える必要なしに、新たなオプション機器に対応する所在地情報を記録するのみで、オプションに関する適切な情報をより簡単にまた低コストに提供することができる。
【００１５】
また、更に、本願の請求項４に係る発明によれば、情報処理装置に対して新規のオプション機器が採用された場合に、情報処理装置側で元のプログラムを書き換える必要なしに、新たなオプション機器に対応する仕様情報を記録するのみで、オプション機器に関する適切な情報をより簡単にまた低コストに提供することができる。
【発明を実施するための最良の形態】
【００１６】
以下、本発明の実施形態について、添付図面を参照しながら説明する。なお、この実施形態では、特許請求の範囲に記載の「情報処理装置」として、多機能複合機（以下、ＭＦＰ（Multifunction Peripheral）という）を取り上げる。
図１は、本発明の実施形態に係る端末及びＭＦＰを含むネットワークの構成を概略的に示す図である。このネットワーク１は、複数の端末１０と、プリンタ機能，ファクシミリ機能，コピー機能，スキャナ機能など複数の機能をもつＭＦＰ２０と、ネットワーク外部との接続時にセキュリティを確保するためのプロキシサーバ３０と、を有しており、これらは、ネットワークバス１５を介して、互いにデータ送受信可能に接続されている。このネットワーク１では、例えば、端末１０で処理された文書データや画像データ等のジョブデータを、ＭＦＰ２０へ送信してＭＦＰ２０側でプリントしたり、ＭＦＰ２０で原稿を読み込むことにより作成されたジョブデータを端末１０へ送信して端末１０側で表示又は格納したりすることが可能である。
【００１７】
また、このネットワーク１は、インターネット５０に接続されており、ＭＦＰ２０は、原稿に基づき作成したジョブデータを、例えば他のネットワーク上にある遠隔の端末へインターネット５０経由で送信したり、遠隔の端末からインターネット経由で送信されてきたジョブデータを受信し、それに基づきプリント出力したりすることも可能である。なお、ネットワーク１の構成として、実際には、例えばメールサーバ，ルータ等の図１に示す構成以外も含まれるが、ここでは、それらを省略する。
【００１８】
図２は、ＭＦＰ２０の基本的な構成を示すブロック図である。ＭＦＰ２０は、所定のプログラムに基づき各種の命令を実行させるなどして、ＭＦＰ２０内の各構成を制御するＣＰＵ２１と、ＣＰＵ２１による制御の基になるプログラムを格納するＲＯＭ２２と、該プログラムの実行に必要なワークエリアや外部から送信されてきたジョブデータを一時的に格納するＲＡＭ２３と、ユーザによる装置の操作及び各種の設定入力を可能とするタッチパネル式の表示パネルを備えた操作部２４と、原稿を読み取り例えばビットマップ形式の画像データを取得する走査部２５と、ジョブデータに基づき用紙に対してプリントを実行する印刷部２６と、印刷部２６に対して給紙を行なう給紙部２７と、ジョブデータ等の各種データの送受信を外部と行なうためのネットワークインターフェースカード（図中の「ＮＩＣ」）２８と、を有している。これらの構成は、バス２９を介して互いにデータ送受信可能に接続されている。
【００１９】
本実施形態では、ＭＦＰ２０のＲＯＭ２２に、該ＭＦＰ２０をウェブベースで管理するためのユーティリティプログラム（以下、装置管理プログラムという）が格納されている。この装置管理プログラムは、端末１０側で、ウェブブラウザを介して、ＭＦＰ２０に関する各種情報（例えば、ＭＦＰのシステム構成，ステータス，消耗品，カウンタ，ＭＦＰ本体に対するオプションの装着状態に関する情報）の取得を可能とする機能、及び、例えばネットワークアドレス（ＩＰアドレス）やＦＡＸ機能のワンタッチダイヤル番号，スキャンデータ送信先等の各種情報の設定を可能とする機能を実現するものである。
【００２０】
また、装置管理プログラムは、上記機能に加え、端末１０側で、ＭＦＰ２０に装着されるオプションの詳細情報（製品型番や仕様等）の取得を可能とする機能を実現する。すなわち、装置管理プログラムに基づき、端末１０からの所定のオプションの詳細情報の要求に応じて、そのオプションの詳細情報を提供するウェブページの所在地情報（ＵＲＬ）が端末１０側で設定され、ウェブブラウザが遷移させられる。オプションの詳細情報を提供するウェブページは、インターネット５０を構成するウェブサーバ５５にて管理されている。
【００２１】
ところで、従来のように、オプションの詳細情報を提供するウェブページのＵＲＬがプログラムに予め組み込まれる形式では、製品の発売後に開発された新規のオプションが装着された場合に、そのオプションの詳細情報を提供するウェブページのＵＲＬが組み込まれたプログラムが新たに機器に格納されない限り、オプションの詳細情報を取得し得ないという問題があったが、本実施形態では、かかる問題を回避するために、オプションの詳細情報を提供するウェブページのＵＲＬが登録可能である遷移先情報テーブルがＲＡＭ２３に設定されている。
【００２２】
図３Ａ及び３Ｂに、ＭＦＰ２０に装着された各種オプションの詳細情報を提供するウェブページのＵＲＬが登録される遷移先情報テーブルを示す。この遷移先情報テーブルでは、各種オプションに対応するＵＲＬが複数登録可能であり、図３Ａに示す状態では、オプション「給紙カセット３段目」及び「給紙カセット４段目」に対応して、それぞれ、その詳細情報を提供するウェブページのＵＲＬ「http://aaa.bbb.com/ccc/casette3.html」及び「http://aaa.bbb.com/ccc/casette4.html」が格納されている。
【００２３】
図３Ａに示す状態からＭＦＰ２０にＦａｘボードが装着された場合、遷移先情報テーブルには、図３Ｂに示すように、オプション「Ｆａｘボード」に対応して、その詳細情報を提供するウェブページのＵＲＬ「http://aaa.bbb.com/ccc/faxboard.html」が追加登録される。本実施形態では、遷移先情報テーブルにおける遷移先情報の登録又は書換え作業は、新規オプションの装着時に、サービスマン又は管理者により行われるが、これに限定されることなく、各オプションに、その詳細情報を提供するウェブページのＵＲＬを予め保持させるとともに、電源オン時のＭＦＰ２０とオプションとの間の初期通信によりＵＲＬをＭＦＰ２０へ通知させ、他方、ＭＦＰ２０に、各オプションから通知されたＵＲＬを遷移先情報テーブルに登録させるようにしてもよい。
【００２４】
端末１０からオプションの詳細情報の要求があった場合、ＭＦＰ２０では、ＲＯＭ２２に組み込まれた情報表示プログラムに基づき、図３Ａ及び３Ｂに示すような遷移先情報テーブルが参照され、該当するオプションに対応するＵＲＬが抽出される。その後、端末１０側で、抽出されたＵＲＬが遷移先情報として設定され、ウェブブラウザがそのＵＲＬに遷移させられることにより、オプションの詳細情報が取得される。
【００２５】
なお、図３Ａ及び３Ｂに示す例では、ＭＦＰ２０に装着されていないオプションについては、「未定義」や「遷移先情報なし」と記されるように、そのオプション名及びそれに対応するＵＲＬも登録されていなかったが、これに限定されることなく、例えば、ＭＦＰ２０に装着されていないオプションについては、「オプションが装着されておりません」等のメッセージを含むエラー表示画面を提供するウェブページのＵＲＬが登録されても、若しくは、端末１０側でウェブブラウザを遷移させないようなＵＲＬが登録されてもよい。
【００２６】
続いて、端末１０側でオプションの詳細情報を取得する上で、上記装置管理プログラムに基づきＭＦＰ２０により実行される装置情報表示処理を詳細に説明する。図４は、ＭＦＰ２０により実行される装置情報表示処理についてのフローチャートである。この処理では、まず、ＭＦＰ本体のシステム構成，ステータス，消耗品やカウンタ情報の情報，ＭＦＰ本体に対するオプションの装着状態等の各種情報（以下、ＭＦＰ情報という）の表示が端末１０から要求されたか否かが判断される（＃１１）。その結果、ＭＦＰ情報の表示が要求されていないと判断された場合には、ステップ＃１１が繰り返され、他方、ＭＦＰ情報の表示が要求されたと判断された場合には、ＭＦＰ情報を含むＨＴＭＬファイルが端末１０へ送信され、端末１０側でウェブブラウザを介してＭＦＰ情報が表示される（＃１２）。このＭＦＰ情報が表示される画面には、オプションの詳細情報を取得するためのヘルプファイル画面の表示を要求する手段（例えばリンクボタン）が設定されており、リンクボタンのクリック等によりヘルプファイル画面の表示が要求されると、ウェブブラウザを介してヘルプファイル画面が表示されることとなる。
【００２７】
ステップ＃１２の後、ヘルプファイル画面の表示が端末１０から要求されたか否かが判断される（＃１３）。その結果、ヘルプファイル画面の表示が要求されていないと判断された場合には、ステップ＃１３が繰り返され、他方、ヘルプファイル画面の表示が要求されたと判断された場合には、ヘルプファイル画面を構成するＨＴＭＬファイルが端末１０へ送信され、端末１０側でウェブブラウザを介してヘルプファイル画面が表示される（＃１４）。ヘルプファイル画面には、ＭＦＰ本体に装着されているオプションのヘルプ項目が設けられており、ユーザがヘルプ項目を選択することにより、該当するオプションの詳細情報が閲覧可能となる。
【００２８】
ステップ＃１４の後、いずれかのオプションのヘルプ項目が選択されたか否かが判断される（＃１５）。その結果、オプションのヘルプ項目が選択されていないと判断された場合には、ステップ＃１５が繰り返され、他方、オプションのヘルプ項目が選択されたと判断された場合には、図３Ａ及び３Ｂに示すような遷移先情報テーブルが参照され、選択されたオプションのヘルプ項目に該当するＵＲＬが抽出される（＃１６）。その後、抽出されたＵＲＬが端末１０側で設定され、ウェブブラウザがそのＵＲＬにより指定されるウェブページに遷移させられる（＃１７）。
【００２９】
ステップ＃１７の後、端末１０側でヘルプファイル画面の表示終了が要求されたか否かが判断される（＃１８）。その結果、ヘルプファイル画面の表示終了が要求されていないと判断された場合には、ステップ＃１４へ戻り、それ以降のステップが繰り返され、他方、ヘルプファイル画面の表示終了が要求されたと判断された場合には、ステップ＃１２へ戻り、それ以降のステップが繰り返される。
【００３０】
なお、図４のフローチャートであらわされる装置情報表示処理は、ＭＦＰ２０のＲＯＭ２２に格納されるプログラムが読み出されることで実行されるが、かかるプログラムは、ＭＦＰ２０のＣＰＵ２１による制御の基になるプログラムの一部として予め組み込まれるものであっても、あるいは、例えばＣＤ−ＲＯＭ１８又はフロッピー（登録商標）ディスク１９等の外部記録媒体を用いて若しくはネットワーク経由でダウンロードすることで、ＭＦＰ２０にインストールされ、追加的に格納されるものであってもよい。
【００３１】
以上説明したように、本実施形態では、各種オプションの詳細情報を提供するウェブページのＵＲＬを登録するテーブルがＭＦＰ２０のＲＡＭ２３に設定されるとともに、オプションの詳細情報の要求に応じて、かかるテーブルを参照し、テーブルより抽出したＵＲＬへ端末１０側のウェブブラウザを遷移させる機能を実現するプログラムがＲＯＭ２２に格納されているため、ＭＦＰ本体に対して新規のオプションが装着された場合に、ＭＦＰ２０側で元のプログラムを書き換える必要なしに、新たなオプションに対応するＵＲＬをテーブルに追加するのみで、適切なオプションの詳細情報をより簡単にまた低コストに提供することが可能である。
【００３２】
前述した実施形態では、オプションの詳細情報を提供するウェブページのＵＲＬを登録する遷移先情報テーブルがＭＦＰ２０のＲＡＭ２３に設定されたが、これに限定されることなく、オプションの詳細情報を提供するウェブページのＵＲＬの代わりに、オプションの仕様情報を登録するテーブルが設定されてもよい。例えば、通常、給紙カセット毎に対応可能である用紙が異なるが、これを反映して、給紙カセットの各種用紙に対する対応可否情報を登録するテーブルが設定されてもよい。
【００３３】
図５Ａは、給紙カセットの各種用紙に対応する対応可否情報を格納するテーブルの一例をあらわす図である。例えば、下から３段目の給紙口に装着される給紙カセットが、普通紙及び再生紙に対応可能である一方、厚紙に対応不可であり、また、下から４段目の給紙口に装着される給紙カセットが、普通に対応可能である一方、厚紙及び再生紙に対応不可である場合には、図５Ａに示すように、オプション「給紙カセット３段目」に対応して、普通紙及び再生紙に対する対応可をあらわす情報（図中の○）、及び、厚紙に対する対応不可をあらわす情報（図中の×）が登録され、また、オプション「給紙カセット４段目」に対応して、普通紙に対する対応可をあらわす情報、及び、厚紙及び再生紙に対する対応不可をあらわす情報が登録される。
【００３４】
図５Ａに示す状態から４段目の給紙カセットが全ての用紙に対応可である給紙カセットに取り替えられた場合には、厚紙及び再生紙に対する対応不可をあらわす情報を訂正するために、図５Ｂに示すように、厚紙及び再生に対する対応可をあらわす情報が更新登録される。
【００３５】
端末１０からの各給紙カセットの詳細情報の要求に応じて、ＭＦＰ２０では、予めＲＯＭ２２に格納された情報表示プログラムに基づき、図５Ａ及び５Ｂに示すようなテーブルが参照され、テーブル中の各給紙カセットの普通紙，厚紙及び再生紙に対する対応可否の情報を反映したウェブページを構成するＨＴＭＬファイルが作成される。そして、このＨＴＭＬファイルが端末１０側に送信され、給紙カセットの普通紙，厚紙及び再生紙に対する対応可否の情報を含む詳細情報が、ウェブブラウザを介して表示される。
【００３６】
また、特に図示しないが、機種やＲＯＭバージョンによって制御方式が異なる場合があり、対応可能な用紙が変わる可能性があることから、各種機種及びＲＯＭバージョンに従い、各種用紙に対する対応可否をあらわす情報が適宜書き換えられてもよい。例えば、再生紙について、ハイエンドモデルのＭＦＰでは、対応可をあらわす情報が登録される一方、低コストのＭＦＰでは、対応不可をあらわす情報が登録される。また、厚紙について、最新バージョンのＲＯＭでは、対応可をあらわす情報が登録される一方、旧バージョンのＲＯＭでは、対応不可をあらわす情報が登録される。
【００３７】
なお、本発明は、例示された実施形態に限定されるものでなく、本発明の要旨を逸脱しない範囲において、種々の改良及び設計上の変更が可能であることは言うまでもない。
【図面の簡単な説明】
【００３８】
【図１】端末及びＭＦＰを備え、インターネットに接続するネットワークの構成を概略的に示す図である。
【図２】上記ＭＦＰの基本構成をあらわすブロック図である。
【図３Ａ】各種オプションに対応する遷移先情報を格納するテーブルの一例をあらわす図である。
【図３Ｂ】オプションの追加に応じて、図３Ａに示すテーブルに新たな遷移先情報が追加された後のテーブルをあらわす図である。
【図４】上記ＭＦＰにより実行される情報表示処理についてのフローチャートである。
【図５Ａ】給紙カセットの各種用紙に対する対応可否情報を格納するテーブルの一例をあらわす図である。
【図５Ｂ】給紙カセットの変更に応じて、図５Ａに示すテーブルの情報の一部が変更された後のテーブルをあらわす図である。
【符号の説明】
【００３９】
１…ネットワーク，１０…端末，１８…ＣＤ−ＲＯＭ，１９…フロッピーディスク，２０…ＭＦＰ，２１…ＣＰＵ，２２…ＲＯＭ，２３…ＲＡＭ，２４…操作部，２８…ネットワークインターフェースカード，５０…インターネット，５５…ウェブサーバ。
【図１】
2006279405.tif 000003
【図２】
2006279405.tif 000004
【図３Ａ】
2006279405.tif 000005
【図３Ｂ】
2006279405.tif 000006
【図４】
2006279405.tif 000007
【図５Ａ】
2006279405.tif 000008
【図５Ｂ】
2006279405.tif 000009